(57)【要約】【課題】対向する光学膜の貼り付きを防止する。【解決手段】第１基板２０と、第１基板２０に対向する第２基板３０と、第１基板２０に設けられた第１光学膜４０と、第２基板３０に設けられ、第１光学膜４０と対向する第２光学膜５０と、を含み、第１光学膜４０は、所望波長帯域の光に対する反射特性および透過特性を有し、第１光学膜４０の最表面の誘電体膜４３は第１光学膜４０の周端部４３ａにおいて、第１光学膜４０に光が入射する光入射部４３ｂよりも厚みが厚く形成されている。【選択図】図２
2012230290.tif 000002
【特許請求の範囲】
【請求項１】
光の反射特性および透過特性を有する第１光学膜と、
前記第１光学膜とギャップを介して対向配置され、光の反射特性および透過特性を有する第２光学膜と、
前記第１光学膜の周辺に形成された第１電極と、
前記第２光学膜の周辺に形成され前記第１電極と対向配置された第２電極と、
を含み、
前記第１光学膜および前記第２光学膜の少なくとも一方は、誘電体膜が積層されて形成され、
前記誘電体膜の最表面に形成される誘電体膜の周端部において、前記誘電体膜に光が入射する光入射部よりも厚みが厚く形成されていることを特徴とする光フィルター。
【請求項２】
請求項１に記載の光フィルターにおいて、
最表面に形成される前記誘電体膜は、下層の前記誘電体膜を表面から側面にかけて覆うように形成されていることを特徴とする光フィルター。
【請求項３】
請求項１に記載の光フィルターにおいて、
前記第１光学膜または前記第２光学膜は、Ａｌの酸化膜、Ａｌの窒化膜、Ｓｉの酸化膜、Ｓｉの窒化膜、Ｔｉの酸化膜、Ｔｉの窒化膜、Ｔａの酸化膜、Ｔａの窒化膜、ＩＴＯ膜、Ｍｇのフッ化膜のいずれかを含む積層膜であることを特徴とする光フィルター。
【請求項４】
請求項１乃至３のいずれか一項に記載の光フィルターと、
前記光フィルターを透過した光を受光する受光素子と、
を含むことを特徴とする光フィルターモジュール。
【請求項５】
請求項１乃至３のいずれか一項に記載の光フィルターと、
前記光フィルターを透過した光を受光する受光素子と、
前記受光素子から得られる信号に基づく信号処理に基づいて所与の信号処理を実行する信号処理部と、
を含むことを特徴とする分光測定器。
【請求項６】
請求項１乃至３のいずれか一項に記載の光フィルターを含むことを特徴とする光機器。
【発明の詳細な説明】
【技術分野】
【０００１】
本発明は、光フィルター、光フィルターモジュール、分光測定器および光機器に関する。
【背景技術】
【０００２】
入射した光から特定の波長の光を選択して射出する光フィルターとして、エタロンフィルターが知られている。エタロンフィルターにおけるミラーとして機能する光学膜には、反射特性と透過特性とを併せ持つ金属膜や誘電体の多層膜が用いられている。
特許文献１には、二つの光学膜を対向させてギャップを形成し、このギャップ寸法を変えることで、ギャップ寸法に対応した波長の光を選択するエタロン素子（可変ギャップ型のエタロンフィルター）が開示されている。
【先行技術文献】
【特許文献】
【０００３】
【特許文献１】特開２００２−２７７７５８号公報
【発明の概要】
【発明が解決しようとする課題】
【０００４】
このエタロン素子における光学膜は微小なギャップを介して対向しており、特に、光学膜と光学膜の距離を変更できる可変ギャップ型のエタロン素子では、対向する一対の光学膜が帯電した場合に両者の光学膜が引き合って貼り付き、その後、貼り付いた状態を保って、適正なギャップを維持できないことがある。
【課題を解決するための手段】
【０００５】
本発明は、上記課題の少なくとも一部を解決するためになされたものであり、以下の形態または適用例として実現することが可能である。
【０００６】
［適用例１］本適用例にかかる光フィルターは、光の反射特性および透過特性を有する第１光学膜と、前記第１光学膜とギャップを介して対向配置され、光の反射特性および透過特性を有する第２光学膜と、前記第１光学膜の周辺に形成された第１電極と、前記第２光学膜の周辺に形成され前記第１電極と対向配置された第２電極と、を含み、前記第１光学膜および前記第２光学膜の少なくとも一方は、誘電体膜が積層されて形成され、前記誘電体膜の最表面に形成される誘電体膜の周端部において、前記誘電体膜に光が入射する光入射部よりも厚みが厚く形成されていることを特徴とする。
【０００７】
この構成によれば、第１電極と第２電極との間に生ずる静電力により第１光学膜と第２光学膜との間のギャップ寸法を変え、ギャップ寸法に対応する波長帯域を切り替えできる。そして、光学膜の最表面に形成される誘電体膜は誘電体膜の周端部において、誘電体膜に光が入射する光入射部よりも厚みが厚く形成されている。つまり、最表面に形成される誘電体膜の周縁部に突起が形成された状態となる。
このことから、第１光学膜と第２光学膜とに電荷が帯電して両者が引き付け合う場合に、この厚みが厚く形成された誘電体膜の周端部においてストッパーの役目を果たし、第１光学膜と第２光学膜とが貼り付くことを防止することができる。このように、本適用例は、第１光学膜と第２光学膜とのギャップ寸法を適正に維持できる光フィルターを実現する。
【０００８】
［適用例２］上記適用例にかかる光フィルターにおいて、最表面に形成される前記誘電体膜は、下層の前記誘電体膜を表面から側面にかけて覆うように形成されていてもよい。
【０００９】
この構成のように、最表面に形成される前記誘電体膜が、下層の誘電体膜を表面から側面にかけて覆うように形成することで、誘電体膜に光が入射する光入射部の大きさを小さくせずに、突起状の周端部の大きさを大きく形成できる。つまり、ストッパーとなる周端部の面積を光入射部の大きさを犠牲にせずに設定することができる。
また、下層に配置される誘電体膜において、耐環境性の低い材料を利用する場合、最表面に用いる誘電体膜が耐環境性の低い誘電体膜を側面から覆うことで、下層の膜の劣化を防止できる。
【００１０】
［適用例３］上記適用例にかかる光フィルターにおいて、前記第１光学膜または前記第２光学膜は、Ａｌの酸化膜、Ａｌの窒化膜、Ｓｉの酸化膜、Ｓｉの窒化膜、Ｔｉの酸化膜、Ｔｉの窒化膜、Ｔａの酸化膜、Ｔａの窒化膜、ＩＴＯ膜、Ｍｇのフッ化膜のいずれかを含む積層膜であることが望ましい。
【００１１】
この構成によれば、第１群に含まれる誘電体膜は、酸化や硫化等の原因となるガスに対して耐性があり、また、耐熱性も備えることから特性劣化のない良好な光学膜として機能することができる。
【００１２】
［適用例４］本適用例にかかる光フィルターモジュールは、前記光フィルターと、前記光フィルターを透過した光を受光する受光素子と、を含むことを特徴とする。
【００１３】
光フィルターモジュールは、分光測定器の受光部（受光光学系と受光素子とを含む）として使用することができる。本適用例によれば、光学膜間の貼り付きを防止でき、ギャップ寸法を適正に維持できる光フィルターモジュールが実現される。
【００１４】
［適用例５］本適用例にかかる分光測定器は、前記光フィルターと、前記光フィルターを透過した光を受光する受光素子と、前記受光素子から得られる信号に基づく信号処理に基づいて所与の信号処理を実行する信号処理部と、を含むことを特徴とする。
【００１５】
本適用例によれば、光学膜間のギャップ寸法を適正に維持できる信頼性の高い分光測定器を実現することができる。信号処理部は、受光素子から得られる信号（受光信号）に基づいて所与の信号処理を実行し、例えば、サンプルの分光光度分布を測定する。分光光度分布の測定によって、例えば、サンプルの測色、サンプルの成分分析等を行うことができる。
【００１６】
［適用例６］本適用例にかかる光機器は、上記に記載の光フィルターを含むことを特徴とする。
【００１７】
この構成によれば、光学膜間のギャップ寸法を適正に維持でき、信頼性の高い光機器（例えば、光通信応用機器など）が実現される。
【図面の簡単な説明】
【００１８】
【図１】第１実施形態の可変ギャップフィルターの構成を示す概略平面図。
【図２】図１のＡ−Ａ断線に沿う概略断面図。
【図３】第１実施形態における第１光学膜を示す部分拡大図であり、（ａ）は概略平面図、（ｂ）は同図（ａ）のＢ−Ｂ断線に沿う概略断面図。
【図４】第１実施形態の第１光学膜の形成方法を説明する工程図。
【図５】第１実施形態の変形例の可変ギャップフィルターにおける第１光学膜の部分を示す拡大図であり、（ａ）は概略平面図、（ｂ）は同図（ａ）のＣ−Ｃ断線に沿う概略断面図。
【図６】第１実施形態の変形例における第１光学膜の形成方法を説明する工程図。
【図７】第２実施形態における分光測定器の概略構成を説明する図であり、（ａ）は光フィルターモジュールの概略構成を示すブロック図、（ｂ）は分光測定器の概略構成を示すブロック図。
【図８】第３実施形態における食物分析装置の概略構成を示す構成図。
【図９】第４実施形態における分光カメラの概略構成を示す斜視図。
【図１０】第５実施形態におけるガス検出装置の概略構成を示す構成図。
【図１１】第５実施形態におけるガス検出装置に係る制御系の構成を示すブロック図。
【図１２】第６実施形態における波長多重通信システムの送信機の概略構成を示すブロック図。
【発明を実施するための形態】
【００１９】
以下、本発明を具体化した実施形態について図面に従って説明する。なお、以下の説明に用いる各図面では、各部材を認識可能な大きさとするため、各部材の寸法の割合を適宜変更している。
【００２０】
（第１実施形態）
第１実施形態では光フィルターとしての可変ギャップフィルターの構成について説明する。
図１は可変ギャップフィルターの構成を示す概略平面図である。図２は図１のＡ−Ａ断線に沿う概略断面図である。図３は第１光学膜を示す部分拡大図であり、図３（ａ）は概略平面図、図３（ｂ）は同図（ａ）のＢ−Ｂ断線に沿う概略断面図である。
【００２１】
図１，２に示すように、可変ギャップフィルター１は第１基板２０、および第２基板３０を備え、例えば一辺が１０ｍｍ程度に形成される平面正方形状の光学部材である。
第１基板２０、第２基板３０は、可視光を透過する母材で形成され、それぞれ、ソーダガラス、結晶性ガラス、石英ガラス、鉛ガラス、カリウムガラス、ホウケイ酸ガラス、無アルカリガラスなどの各種ガラスや、水晶、石英などにより形成されている。
【００２２】
そして、これらの第１基板２０と第２基板３０との外周縁に沿って、それぞれ接合膜としてプラズマ重合膜３８が形成され、このプラズマ重合膜３８を介して第１基板２０と第２基板３０とが接合されている。このように、可変ギャップフィルター１は第１基板２０と第２基板３０とが一体化した構造を有している。
【００２３】
また、第１基板２０と、第２基板３０との間には、第１光学膜４０と第２光学膜５０とが設けられる。第１光学膜４０および第２光学膜５０は後述するように、複数の誘電体膜が積層されて構成されている。
ここで、第１光学膜４０は、第１基板２０の第２基板３０に対向する面に形成され、第２光学膜５０は、第２基板３０の第１基板２０に対向する面に形成されている。また、これらの第１光学膜４０および第２光学膜５０は、ギャップを介して対向配置されている。
【００２４】
さらに、第１基板２０と第２基板３０との間には、第１光学膜４０および第２光学膜５０の間のギャップの寸法を調整する駆動電極が設けられている。
駆動電極は、第１基板２０に形成された第１電極２１と、第２基板３０に形成され第１電極２１に対向する第２電極３１とから構成されている。
なお、本実施形態では、上述したように、平面視正方形状の可変ギャップフィルター１を例示するが、これに限定されるものではなく、例えば、平面視円形状、平面視多角形状に形成されていてもよい。
【００２５】
＜第１基板の構成＞
図１，２に示すように、第１基板２０は、厚みが例えば５００μｍに形成される略正方形状のガラス基板により形成される。
この第１基板２０には、第２基板３０に対向する面に凹部２５が形成され、この凹部２５に第１電極２１と第１光学膜４０とが設けられている。
【００２６】
第１基板２０の中央部には例えば直径が約３ｍｍの円形状に形成される第１光学膜４０が形成されている。
この第１光学膜４０は、図３に示すように、第１基板２０側から誘電体膜４１，４２，４３が積層されて構成されている。
誘電体膜４１は第１基板２０の上に形成され、第１基板２０よりも屈折率が高い材料で形成されている。誘電体膜４２は誘電体膜４１の上に形成され、誘電体膜４１よりも屈折率が低い材料で形成されている。誘電体膜４３は誘電体膜４２の上に形成され、誘電体膜４２よりも屈折率が高い材料で形成されている。
【００２７】
このように、第１光学膜４０は高屈折率の誘電体膜と低屈折率の誘電体膜を交互に配置した誘電体多層膜で構成されている。なお、本実施形態では、３層の誘電体膜にて第１光学膜４０を構成したが、その上に低屈折率の誘電体膜と高屈折率の誘電体膜を１対とした層を何対か積層して構成しても良い。
【００２８】
そして、第１光学膜４０の最表面に配置される誘電体膜４３は、その外形に沿った周端部４３ａと、入射光が入射する部分である光入射部４３ｂとを有している。周端部４３ａの厚みは光入射部４３ｂの厚みに比べて厚く形成されている。つまり、第１光学膜４０の周縁に沿って誘電体膜４３の周端部４３ａに突起が環状に形成されている。なお、この突起の高さはおよそ３０ｎｍに設定されている。
【００２９】
ここで、一般に、高屈折率の誘電体膜と低屈折率の誘電体膜の各膜厚は、誘電体の屈折率と膜厚の積が光フィルターで取り扱う中心波長の１／４波長となるように設定される。
また、低屈折率の誘電体膜として、Ａｌの酸化膜またはＡｌの窒化膜、Ｓｉの酸化膜、Ｓｉの窒化膜、Ｍｇのフッ化膜、などが用いられる。
高屈折率の誘電体膜として、Ｔｉの酸化膜、Ｔｉの窒化膜、Ｔａの酸化膜、Ｔａの窒化膜、ＩＴＯ（Indium  Tin  Oxide）膜、などが用いられる。
これらの誘電体膜は、酸化や硫化等の原因となるガスに対して耐性があり、また、耐熱性も備えることから特性劣化のない良好な光学膜として機能することができる。
【００３０】
次に、図１、図２に示すように、第１基板２０の第１光学膜４０を取り囲むように駆動電極としての第１電極２１がリング状に形成されている。
第１電極２１には引き出し電極２７が接続され、さらに引き出し電極２７は、第１基板２０の角部に設けられた接続パッド２３に接続されている。
また、接続パッド２３と対角には接続パッド２４が設けられ、後述する第２基板３０に形成された第２電極３１との接続を可能に構成されている。
【００３１】
そして、第１電極２１の外側には、ポリオルガノシロキサンなどを主原料とする接合膜としてのプラズマ重合膜３８が形成され、ＵＶ照射などによりその表面を活性化して第１基板２０と第２基板３０との接合を可能とする。
【００３２】
＜第２基板の構成＞
第２基板３０は、例えば厚み寸法が２００μｍに形成されるガラス基板をエッチングにより加工することで形成される。
図１、図２に示すように、第２基板３０には、平面視において、基板の中心を中心点とした円形の可動部３６と、可動部３６と同軸であり可動部３６を保持する連結保持部３５と、を備えている。
【００３３】
可動部３６は、連結保持部３５よりも厚み寸法が大きく形成され、例えば、本実施形態では、図２に示すように、第２基板３０の厚み寸法と同一寸法である２００μｍに形成されている。
【００３４】
可動部３６の第２基板３０の中央部には第１光学膜４０と対向する第２光学膜５０が形成されている。この第２光学膜５０は、高屈折率の誘電体膜と低屈折率の誘電体膜とが交互に積層された誘電体多層膜で構成され、第１光学膜４０とギャップを介して平行に保持されている。なお、第２光学膜５０は、Ａｇ、Ａｇ合金などの金属膜で構成してもよい。
【００３５】
連結保持部３５は、可動部３６の周囲を囲うダイヤフラムであり、例えば厚み寸法が５０μｍに形成されている。この連結保持部３５の第１基板２０に対向する面には、第１電極２１と、約１μｍのギャップを介して対向する、リング状の第２電極３１が形成されている。ここで、この第２電極３１および前述した第１電極２１により、静電アクチュエーターが構成される。
また、第２電極３１には、第２基板３０の角部に向かって形成される引き出し電極３７が接続されている。そして、第２基板３０の引き出し電極３７の向かう角部には矩形状に切り欠いた切り欠き部３９ａが形成されている。さらに第２基板３０の切り欠き部３９ａの対角には同様の切り欠き部３９ｂが形成されている。
【００３６】
そして、第２電極３１の外側には、ポリオルガノシロキサンなどを主原料とする接合膜としてのプラズマ重合膜３８が形成され、ＵＶ照射などによりその表面を活性化して第１基板２０と第２基板３０との接合を可能とする。
【００３７】
また、第１基板２０と第２基板３０との接合した状態で、第１基板２０の接続パッド２４と第２基板３０の引き出し電極３７との接続を果たすために両基板の間にＡｇペーストなどの導電性部材２８が配置され、第２電極３１と接続パッド２４との電気的接続がなされる。
【００３８】
このような構成の可変ギャップフィルター１では、第１電極２１と第２電極３１との間に電圧を印加することで静電作用により両電極間で引き合う力が働く。このとき、第２基板３０には連結保持部３５が形成されているため、この連結保持部３５が撓み、可動部３６が移動して第１光学膜４０と第２光学膜５０とのギャップが変化する。このことから、ギャップ寸法を制御することでギャップに対応した所望の波長帯域の光を射出させることができる。
【００３９】
＜第１光学膜の形成方法＞
次に、上記の可変ギャップフィルターにおける誘電体多層膜である第１光学膜の形成方法について簡単に説明する。
図４は本実施形態の第１光学膜の形成方法を説明する工程図である。
まず、図４（ａ）に示すように、第１基板２０上に誘電体膜４１を形成する。そして、誘電体膜４１の上に誘電体膜４２を形成する。さらに、誘電体膜４２の上に誘電体膜４３を形成する。これらの誘電体膜４１，４２，４３はメタルマスク６０ａを用い、スパッタリング、蒸着などの手法で誘電体膜を積層形成する。また、フォトリソグラフィー技術を用いて誘電体膜４１，４２，４３を形成しても良い。
【００４０】
誘電体膜４１はＴｉＯ2、Ｔａ2Ｏ3などの高屈折率の誘電体材料を用い、誘電体多層膜として機能する所定の膜厚となるように成膜する。誘電体膜４２はＡｌ2Ｏ3、ＳｉＯ2、ＭｇＦ2などの低屈折率の誘電体材料を用い、誘電体多層膜として機能する所定の膜厚となるように成膜する。そして、誘電体膜４３はＴｉＯ2、Ｔａ2Ｏ3などの高屈折率の誘電体材料を用い、誘電体多層膜として機能する所定の膜厚に加えて、およそ３０ｎｍ厚くなるように成膜する。
【００４１】
続いて、図４（ｂ）に示すように、第１光学膜４０の最表面に配置される誘電体膜４３の一部をドライエッチングする。
誘電体膜４３のドライエッチングでは、第１光学膜４０の外形より小さな開口を持つメタルマスク６０ｂを用い、この開口を通しておよそ３０ｎｍの厚みをエッチングし、光入射部４３ｂが誘電体多層膜として機能する所定の膜厚となるように加工する。
【００４２】
このように、第１光学膜４０の周端部４３ａでは、光入射部４３ｂに比べて厚みが厚く形成され、およそ３０ｎｍの高さのリング状突起が誘電体膜４３を利用して形成されている。
なお、本実施形態では、第１光学膜４０にリング状の突起を固定基板である第１基板側に設けたが、可動基板側の第２基板側の第２光学膜に上記のようなリング状の突起を設けても良い。
【００４３】
以上のように、本実施形態の光フィルターとしての可変ギャップフィルター１は、第１光学膜４０の周端部４３ａにおいて、第１光学膜４０の光入射部４３ｂよりも誘電体膜４３の厚みが厚く形成されている。
このことから、第１光学膜４０と第２光学膜５０に電荷が帯電して両者が引き付け合う場合に、この厚みが厚く形成された誘電体膜４３の周端部４３ａにおいてストッパーの役目を果たし、第１光学膜４０と、第２光学膜５０とが貼り付くことを防止することができる。このようにして、第１光学膜４０と第２光学膜５０とのギャップ寸法を適正に維持できる光フィルターを実現する。
【００４４】
以上のように、本発明は本実施形態で説明した光学膜間のギャップを可変する可変ギャップフィルターに好適である。ただし、この例に限定されるものではなく、本発明は、ミラー間の微小ギャップを有しる構成体（素子や機器）全般に適用可能である。
【００４５】
（変形例）
次に、可変ギャップフィルターの変形例について説明する。この変形例では第１基板に形成された第１光学膜の構成のみが第１実施形態と異なり、その部分の説明を行なう。なお、第１実施形態と同じ構成要素については、同符号を付し説明を省略する。
図５は第１実施形態の変形例の可変ギャップフィルターにおける第１光学膜を示す部分拡大図であり、図５（ａ）は概略平面図、図５（ｂ）は同図（ａ）のＣ−Ｃ断線に沿う概略断面図である。
【００４６】
第１基板２０には例えば直径が約３ｍｍの円形状に形成される第１光学膜４０が形成されている。
この第１光学膜４０は、図５に示すように、第１基板２０側から誘電体膜４１，４２，４４が積層されて構成されている。
誘電体膜４１は第１基板２０の上に形成され、第１基板２０よりも屈折率が高い材料で形成されている。誘電体膜４２は誘電体膜４１の上に形成され、誘電体膜４１よりも屈折率が低い材料で形成されている。誘電体膜４４は誘電体膜４２の上から誘電体膜４１，４２の側面を覆うように形成され、誘電体膜４２よりも屈折率が高い材料で形成されている。
【００４７】
そして、第１光学膜４０の最表面に配置される誘電体膜４４は、その外形に沿った周端部４４ａと、入射光が入射する部分である光入射部４４ｂとを有している。周端部４４ａの厚みは光入射部４４ｂの厚みに比べて厚く形成されている。つまり、第１光学膜４０の周縁に沿って誘電体膜４４の周端部４４ａに突起が環状に形成されている。なお、この突起の高さはおよそ３０ｎｍに設定されている。
【００４８】
＜第１光学膜の形成方法＞
次に、上記の可変ギャップフィルターにおける第１光学膜の形成方法について簡単に説明する。
図６は本変形例の第１光学膜の形成方法を説明する工程図である。
まず、図６（ａ）に示すように、第１基板２０上に誘電体膜４１を形成する。そして、誘電体膜４１の上に誘電体膜４２を形成する。これらの誘電体膜４１，４２はメタルマスク６０ｃを用い、スパッタリング、蒸着などの手法で誘電体膜を積層形成する。また、フォトリソグラフィー技術を用いて誘電体膜４１，４２を形成しても良い。
【００４９】
続いて、図６（ｂ）に示すように、誘電体膜４２の表面から誘電体膜４１，４２の側面を覆う誘電体膜４４を形成する。誘電体膜４４はメタルマスク６０ｃよりも開口の大きいメタルマスク６０ｄを用い、スパッタリングなどの手法で形成する。
【００５０】
なお、誘電体膜４１はＴｉＯ2などの高屈折率の誘電体材料を用い、誘電体多層膜として機能する所定の膜厚となるように成膜する。誘電体膜４２はＡｌ2Ｏ3などの低屈折率の誘電体材料を用い、誘電体多層膜として機能する所定の膜厚となるように成膜する。誘電体膜４４はＴｉＯ2などの高屈折率の誘電体材料を用い、誘電体多層膜として機能する所定の膜厚に加えて、およそ３０ｎｍ厚くなるように成膜する。
【００５１】
続いて、図４（ｃ）に示すように、第１光学膜４０の最表面に配置される誘電体膜４４の一部をドライエッチングする。
誘電体膜４４のドライエッチングでは、第１光学膜４０の外形より小さな開口を持つメタルマスク６０ｅを用い、この開口を通しておよそ３０ｎｍの厚みをエッチングし、光入射部４４ｂが誘電体多層膜として機能する所定の膜厚となるように加工する。
【００５２】
このように、第１光学膜４０の周端部４４ａでは、光入射部４４ｂに比べて厚みが厚く形成され、およそ３０ｎｍの高さのリング状突起が誘電体膜４４を利用して形成されている。
なお、本実施形態では、第１光学膜４０にリング状の突起を固定基板である第１基板側に設けたが、可動基板側の第２基板側の第２光学膜に上記のようなリング状の突起を設けても良い。
【００５３】
以上のように、最表面に形成される誘電体膜４４が、下層の誘電体膜４１，４２の表面から側面にかけて覆うように形成することで、第１光学膜４０に光が入射する光入射部４４ｂの大きさを小さくせずに、突起状の周端部４４ａの大きさを大きく形成できる。つまり、ストッパーとなる周端部４４ａの面積を光入射部４４ｂの大きさを犠牲にせずに設定することができる。
また、下層に配置される誘電体膜４１，４２において、耐環境性の低い材料を利用する場合、最表面に用いる誘電体膜４４が耐環境性の低い誘電体膜を側面から覆うことで、膜の劣化を防止できる。
【００５４】
（第２実施形態）
図７は本実施形態における分光測定器の概略構成を説明する図であり、（ａ）は光フィルターモジュールの概略構成を示すブロック図、（ｂ）は分光測定器の概略構成を示すブロック図である。
図７（ａ）に示すように、光フィルター３００は、互いに対向して配置される第１基板（固定基板）２０と、第２基板（可動基板）３０と、第１基板２０の主面（表面）に設けられる第１光学膜４０と、第２基板３０の主面（表面）に設けられる第２光学膜５０と、各基板間のギャップ（距離）を調整する静電アクチュエーターなどのアクチュエーター８０ａ，８０ｂと、を有する。
【００５５】
なお、第１基板２０および第２基板３０の少なくとも一方が可動基板であればよく、双方を可動基板とすることも可能である。アクチュエーター８０ａおよびアクチュエーター８０ｂは、駆動部（駆動回路）３０１ａおよび駆動部（駆動回路）３０１ｂによって駆動される。また、各駆動部（駆動回路）３０１ａ，３０１ｂの動作は、制御部（制御回路）３０３によって制御される。
【００５６】
所定角度θで外部から入射する光Ｌｉｎは、ほとんど散乱されることなく第１光学膜４０を通過する。第１基板２０に設けられた第１光学膜４０と第２基板３０に設けられた第２光学膜５０との間で、光の反射が繰り返される。これによって、光の干渉が生じ、特定の条件を満たす波長の光のみが強められ、その強められた波長の光の一部は、第２基板３０上の第２光学膜５０を通過して、受光部（受光素子）４００に到達する。干渉によってどの波長の光が強め合うかは、第１基板２０と第２基板３０との間のギャップＧ１に依存する。よって、ギャップＧ１を可変に制御することによって、通過する光の波長帯域を変化させることができる。
【００５７】
この光フィルターモジュールを使用すると、図７（ｂ）に示すような分光測定器を構成することができる。なお、分光測定器の例としては、測色器、分光分析器、分光スペクトラムアナライザー等があげられる。
【００５８】
図７（ｂ）に示される分光測定器（測色器）において、サンプル２００の測色を行う場合には光源１００が用いられ、また、サンプル２００の分光分析を行う場合には、光源１００’が用いられる。
【００５９】
分光測定器は、光源１００（あるいは１００’）と、複数の波長可変バンドパスフィルター（可変ＢＰＦ（１）〜可変ＢＰＦ（４））を備える光フィルター（分光部）３００と、フォトダイオード等の受光素子ＰＤ（１）〜ＰＤ（４）を含む受光部４００と、受光部４００から得られる受光信号（光量データ）に基づいて、所与の信号処理を実行して分光光度分布等を求める信号処理部６００と、可変ＢＰＦ（１）〜可変ＢＰＦ（４）の各々を駆動する駆動部３０１と、可変ＢＰＦ（１）〜可変ＢＰＦ（４）の各々の分光帯域を可変に制御する制御部３０３と、を有する。信号処理部６００は、信号処理回路５０１を有し、必要に応じて、補正演算部５００を設けることも可能である。分光光度分布の測定によって、サンプル２００の測色や、サンプル２００の成分分析等を行うことができる。また、光源１００（１００’）としては、白熱電球、蛍光灯、放電管、ＬＥＤ等の固体発光素子を用いた光源（固体発光素子光源）等を使用することができる。
【００６０】
なお、光フィルター３００および受光部４００によって、光フィルターモジュール３５０が構成される。光フィルターモジュール３５０は、分光測定器に適用できる他、光通信装置の受信部（受光光学系と受光素子を含む）としても使用可能である。そして、本実施形態における光フィルターモジュール３５０は、第１光学膜４０と第２光学膜５０との貼り付きを防止できるため光学膜間のギャップを維持でき、信頼性が高いという利点がある。
【００６１】
（第３実施形態）
次に、分光測定器の他の一例として、物質成分の分析を行なう食物分析装置について説明する。
【００６２】
図８は、可変ギャップフィルターを利用した光分析装置の一例である食物分析装置の概略構成を示す図である。
この食物分析装置７００は、図８に示すように、検出器（光モジュール）７１０と、制御部７２０と、表示部７３０と、を備えている。検出器７１０は、光を射出する光源７１１と、測定対象物からの光が導入される撮像レンズ７１２と、撮像レンズ７１２から導入された光を分光する可変ギャップフィルター７１５と、分光された光を検出する撮像部（受光部）７１３と、を備えている。
また、制御部７２０は、光源７１１の点灯・消灯制御、点灯時の明るさ制御を実施する光源制御部７２１と、可変ギャップフィルター７１５を制御する電圧制御部７２２と、撮像部７１３を制御し、撮像部７１３で撮像された分光画像を取得する検出制御部７２３と、信号処理部７２４と、記憶部７２５と、を備えている。
【００６３】
この食物分析装置７００は、システムを駆動させると、光源制御部７２１により光源７１１が制御されて、光源７１１から測定対象物に光が照射される。そして、測定対象物で反射された光は、撮像レンズ７１２を通って可変ギャップフィルター７１５に入射する。可変ギャップフィルター７１５は電圧制御部７２２の制御により所望の波長を分光可能な電圧が印加されており、分光された光が、例えばＣＣＤカメラ等により構成される撮像部７１３で撮像される。また、撮像された光は分光画像として、記憶部７２５に蓄積される。また、信号処理部７２４は、電圧制御部７２２を制御して可変ギャップフィルター７１５に印加する電圧値を変化させ、各波長に対する分光画像を取得する。
【００６４】
そして、信号処理部７２４は、記憶部７２５に蓄積された各画像における各画素のデータを演算処理し、各画素におけるスペクトルを求める。また、記憶部７２５には、例えばスペクトルに対する食物の成分に関する情報が記憶されており、信号処理部７２４は、求めたスペクトルのデータを、記憶部７２５に記憶された食物に関する情報を基に分析し、検査対象に含まれる食物成分、およびその含有量を求める。また、得られた食物成分および含有量から、食物カロリーや鮮度等をも算出することができる。さらに、画像内のスペクトル分布を分析することで、検査対象の食物の中で鮮度が低下している部分の抽出等をも実施することができ、さらには、食物内に含まれる異物等の検出をも実施することができる。
そして、信号処理部７２４は、上述のようにした得られた検査対象の食物の成分や含有量、カロリーや鮮度等の情報を表示部７３０に表示させる処理をする。
【００６５】
このように、食物分析装置に本発明の光フィルターを用いることで、光フィルターの光学膜間の貼り付きを防止でき、信頼性が高い食物分析装置を提供できる。
また、図８において、食物分析装置７００の例を示すが、略同様の構成により、例えば、血液等の体液成分の測定、分析等、生体成分を分析する生体分析装置として用いることができ、このような生体分析装置を備えた電子内視鏡システムとしても用いることができる。さらには、鉱物の成分分析を実施する鉱物分析装置としても用いることができる。
【００６６】
（第４実施形態）
また、分光測定器の他の一例として、光フィルターにより光を分光することで、分光画像を撮像する分光カメラ、分光分析機などにも適用できる。このような分光カメラとして、可変ギャップフィルターを内蔵した赤外線カメラが挙げられる。
図９は、分光カメラの概略構成を示す模式図である。分光カメラ８００は、図９に示すように、カメラ本体８１０と、撮像レンズユニット８２０と、撮像部８３０とを備えている。
【００６７】
カメラ本体８１０は、利用者により把持、操作される部分である。
撮像レンズユニット８２０は、カメラ本体８１０に設けられ、入射した画像光を撮像部８３０に導光する。また、この撮像レンズユニット８２０は、図９に示すように、対物レンズ８２１、結像レンズ８２２、およびこれらのレンズ間に設けられた光フィルター３００を備えて構成されている。
撮像部８３０は、受光素子により構成され、撮像レンズユニット８２０により導光された画像光を撮像する。
このような分光カメラ８００では、光フィルター３００により撮像対象となる波長の光を透過させることで、所望波長の光の分光画像を撮像することができる。
【００６８】
このように、分光カメラに本発明の光フィルターを用いることで、光フィルターの光学膜間の貼り付きを防止でき、信頼性が高い分光カメラを提供できる。
【００６９】
（第５実施形態）
続いて、分光測定器の一例として、ガス中の物質検出を行うガス検出装置について説明する。このガス検出装置には分光器として可変ギャップフィルターが用いられている。
図１０は、ガス検出装置の構成の一例を示す構成図である。ガス検出装置９００は、本体部にセンサーチップ９１０、および吸引流路９３０などの検出のたびに交換する消耗品を有している。
【００７０】
本体部の主要構成は、消耗品を格納および交換できるように開閉可能なセンサー部カバー９１１、排出手段９１３、本体の筐体９０５、光源９１５、レンズ９１６，９１７，９１９、フィルター９２０、分光器（可変ギャップフィルター）９２１、受光素子９２２などを含む検出部と、検出された信号を処理し、検出部の制御をする信号処理・制御部９２３、電力を供給する電力供給部９２４、外部とのインターフェイスを取るための接続部９２５、接続部９２６などから構成される。
【００７１】
排出手段９１３を作動させると、吸引流路９３０、センサーチップ９１０内の流路および排出流路９３１内が負圧になり吸引口９１２から検出すべき被検出物質（標的物質）を含んだ気体試料が吸引される。吸引流路９３０の入り口には除塵フィルター９４０があり、比較的大きな粉塵や一部の水蒸気などが除去される。気体試料は吸引流路９３０を通り、センサーチップ９１０内の流路を経由して排出流路９３１から排出される。その際に、標的物質がセンサーチップ９１０の表面付近を通過しセンサーチップ９１０に吸着又は散乱されて検出できる状態となる。
【００７２】
このセンサーチップ９１０に対して、単一波長で直線偏光の光源（レーザー光源）９１５からの光が照射され、センサーチップ９１０からはＳＥＲＳ（表面増強ラマン散乱）光が放射され、レンズ９１７で集光されてハーフミラー９１８によって受光素子９２２へ入る。この光には、光源からの入射光の波長と同じ波長のレイリー散乱光とＳＥＲＳ光などが含まれているので、フィルター９２０によってレイリー散乱光を除去して、分光器（可変ギャップフィルター）９２１へ入る。分光器９２１と受光素子９２２によって、標的物質特有の指紋スペクトルが得られ、予め保持するデータと照合することで、標的物質と特定することができる。なお、センサーチップ９１０は、金属ナノ構造体が複数組み込まれ、局在表面プラズモン共鳴を利用したセンサーである。
【００７３】
次に、このガス検出装置９００の制御系の構成および作用についてブロック図を参照して説明する。
図１１は、ガス検出装置に係る制御系の構成を示すブロック図である。なお、図１０も参照する。ガス検出装置９００の表面には、操作パネル９６０、表示部９６１、外部とのインターフェイスのための接続部９２５、電力供給部９２４が具えられている。電力供給部９２４が２次電池の場合には、充電のための接続部９２６を具える。本体の上部のセンサー部カバー９１１の内部にはセンサーチップ９１０と、センサーチップ９１０の有無を検出し、センサーチップ９１０のコードを読み取るためのセンサーチップ検出器９５０があり、センサーチップ検出回路９４４を経由してその情報が信号処理・制御部９２３を構成するＣＰＵ（Central  Processing  Unit）に送られて判断される。この状態は、検出の準備ができた状態なので、ＣＰＵから表示部９６１へ準備ＯＫの表示信号を出す。それを見た操作者は、検出開始を操作パネル９６０から指示信号をＣＰＵへ出す。
【００７４】
検出開始の信号をＣＰＵが受けると、先ず光源ドライバー回路９４１に光源作動の信号を出して、光源９１５を作動させる。光源９１５には、温度センサーや光量センサーが内蔵されており、その情報がＣＰＵへ送られて安定したかを判断する。その判断がＯＫなら、次には検出すべき標的物質を含んだ気体試料をセンサーチップ９１０の表面近傍へ導くために、排出手段９１３を作動させる信号がＣＰＵから排出手段ドライバー９４６へ指示がいき、気体試料は吸引口９１２から吸引流路９３０、センサーチップ空間、排出流路９３１を経由して外部へ排出される。
【００７５】
検出系の作動は、単一波長で直線偏光の安定な光を放射する光源９１５（レーザー光源）があり、ＣＰＵからの信号により光源ドライバー回路９４１により駆動され、レーザー光を放射する。このレーザー光がセンサーチップ９１０に照射されてレイリー散乱光とＳＥＲＳ（表面増強ラマン散乱）光がレンズ９１６，９１７やハーフミラー９１８を経由して受光側へ入ってくる。
【００７６】
先ず、レイリー散乱光を遮断するためのフィルター９２０を経由することで、ＳＥＲＳ光だけが分光器９２１へ入る。分光器９２１は分光器ドライバー回路９４２によって制御される。この場合、透過する光の帯域（λｓ〜λｅ）と半値幅とが設定されており、λｓから始まって半値幅ずつ順次透過する波長を変化させて、λｅまで繰返し受光素子９２２でその半値幅の光信号の強度を受光回路９４３で電気信号へ変換する。そうすることで、検出されたＳＥＲＳ光のスペクトルが得られることになる。
【００７７】
こうして得られた標的物質のＳＥＲＳ光のスペクトルは、信号処理・制御部９２３のＲＯＭに格納されているスペクトルデータと比較して、目的の物質かどうかを判定して、物質の特定をする。その判定結果を操作者に知らせるため、ＣＰＵから表示部９６１へその結果情報が表示される。得られた物質特定の結果を、外部へ情報として送信する場合には、予め決められたインターフェイス規格に基づいて接続部９２５から送られることになる。
【００７８】
このようなガス検出装置９００は、センサーチップ９１０上には、ナノメートルオーダーの大きさの金属ナノ粒子が、微小な間隙の方向に揃って配列されており、金属ナノ粒子にレーザー光を照射することで励起される局在表面プラズモン共鳴がより効率的に生じることになる。その結果、表面増強ラマン散乱がなされ、高感度に物質を検出することが可能なガス検出装置を実現できる。
【００７９】
以上説明したガス検出装置９００によれば、様々な被検出物質の検出が可能である。以下に被検出物質を例示する。
セキュリティー分野では、空港・港湾・交通機関などで行われる麻薬や爆発物の探知、および可燃性危険物の探知が可能である。
【００８０】
医療・健康の分野では、インフルエンザに代表される感染病の原因である各種ウィルスの検出、口腔ガスに含まれる硫化水素、メチルメルカプタン、ジメチルスルフィドを検出し歯周病の有無を判定、呼気ガスに含まれる一酸化窒素（ＮＯ）を検出することで喘息の検査をする。あるいは、呼気ガスに含まれる揮発性有機化合物（ＶＯＣ）を検出することでがんのスクリーニング検査、呼気ガスに含まれるアセトンを検出することで脂肪燃焼モニター、呼気に含まれるイソプレンを検出することでコレステロールモニター等が可能である。
また、室内の空気に含まれる揮発性有機化合物（ＶＯＣ）であるベンゼン、トルエン、キシレン、エチルベンゼン、スチレン、ホルムアルデヒドなどを検査することが可能である。
【００８１】
このように、ガス検出装置に本発明の光フィルターを用いることで、光フィルターの光学膜間の貼り付きを防止でき、信頼性が高いガス検出装置を提供できる。
【００８２】
（第６実施形態）
図１２は、光機器の一例である波長多重通信システムにおける波長多重送信機の概略構成を示すブロック図である。波長多重（WDM：Wavelength  Division  Multiplexing）通信では、波長の異なる信号は干渉し合わないという特性を利用して、波長が異なる複数の光信号を一本の光ファイバー内で多重的に使用すれば、光ファイバー回線を増設せずにデータの伝送量を向上させることができるようになる。
【００８３】
図１２において、波長多重送信機９９０は、光源１００からの光が入射される光フィルター３００を有し、光フィルター３００からは、複数の波長λ０，λ１，λ２，…の光が透過される。波長毎に送信器９７１，９７２，９７３が設けられる。送信器９７１，９７２，９７３からの複数チャンネル分の光パルス信号は、波長多重装置９７５にて１つに合わせられて一本の光ファイバー伝送路９８０に送出される。
【００８４】
本発明は光符号分割多重（OCDM：Optical  Code  Division  Multiplexing）送信機にも同様に適用できる。ＯＣＤＭは、符号化された光パルス信号のパターンマッチングによってチャンネルを識別するが、光パルス信号を構成する光パルスは、異なる波長の光成分を含んでいるからである。このように、本発明を光機器に適用することによって、光学膜間の貼り付きを防止でき、信頼性の高い光機器（例えば、光通信応用機器）が実現される。
【００８５】
上記に示すように、光フィルター、光モジュール、分光測定器および光機器は、入射光から所定の光を分光するいかなる装置にも適用することができる。そして、本発明にかかる光フィルターは、上述のように、一つのデバイスで複数の波長を分光させることができるため、複数の波長のスペクトルの測定、複数の成分に対する検出を精度よく実施することができる。
【符号の説明】
【００８６】
１…可変ギャップフィルター、２０…第１基板、２１…第１電極、２３，２４…接続パッド、２５…凹部、２７…引き出し電極、２８…導電性部材、３０…第２基板、３１…第２電極、３５…連結保持部、３６…可動部、３７…引き出し電極、３８…プラズマ重合膜、３９ａ，３９ｂ…切り欠き部、４０…第１光学膜、４１，４２，４３，４４…誘電体膜、４３ａ，４４ａ…周端部，４３ｂ，４４ｂ…光入射部、５０…第２光学膜、６０ａ，６０ｂ，６０ｃ，６０ｄ，６０ｅ…メタルマスク、３００…光フィルター、３５０…光フィルターモジュール、７００…食物分析装置、７１５…可変ギャップフィルター、８００…分光カメラ、９００…ガス検出装置、９２１…分光器（可変ギャップフィルター）、９９０…波長多重送信機。
【図１】
2012230290.tif 000003
【図２】
2012230290.tif 000004
【図３】
2012230290.tif 000005
【図４】
2012230290.tif 000006
【図５】
2012230290.tif 000007
【図６】
2012230290.tif 000008
【図７】
2012230290.tif 000009
【図８】
2012230290.tif 000010
【図９】
2012230290.tif 000011
【図１０】
2012230290.tif 000012
【図１１】
2012230290.tif 000013
【図１２】
2012230290.tif 000014